(57)【特許請求の範囲】
【請求項１】
被検眼の測定、観察、あるいは撮影等を行うための検査光学系を収納した筐体を備える眼科装置において、被検者の額に当接させて被検眼と前記検査光学系との位置関係を安定させるための額当てと、前記筐体が持つ前記検査光学系の検査窓の前面位置と前記筐体に対して略水平な使用位置との間で該額当てを回転可能に支持する支持手段と、前記額当てを前記筐体に対して略水平にした状態のままで被検者と対向する側へスライドするスライド手段とを備え、前記支持手段に支持された前記額当ては前記検査窓の前面位置に回転して配置することにより検査窓の保護手段として兼用することを特徴とする眼科装置。
【請求項２】
請求項１の眼科装置において、前記スライド手段は前記額当てを被検者方向へ付勢する付勢手段を備えることを特徴とする眼科装置。
【請求項３】
請求項１の眼科装置において、前記額当てを前記筐体に対して略水平な使用位置に回転させたときに前記額当ての略水平状態を保持するための保持手段を設けたことを特徴とする眼科装置。
【請求項４】
請求項１の眼科装置において、前記額当てを前記検査窓の前面位置に回転して保護手段として使用したときに、その回転を固定する固定手段を設けたことを特徴とする眼科装置。
【請求項５】
請求項１の額当ては、被検者の額に当接させたときに、額と前記筐体との間の上方から前記検査窓内に入射する外乱光を遮光する大きさを持つことを特徴とする眼科装置。
【発明の詳細な説明】
【０００１】
【発明の属する技術分野】
本発明は、被検眼の測定・観察・撮影等を行う眼科装置に関する。
【０００２】
【従来の技術】
従来の他覚式眼屈折力測定装置等の眼科装置には据え置き型のものが多い。据え置き型の装置は、固定基台に対して検査測定部を相対移動できるように構成され、検者がジョイスティック等の操作により被検眼に対して検査測定部を移動させ、片眼ずつアライメントして測定を行うのが一般的である。
【０００３】
一方、据え置き型の眼科装置は乳幼児や寝ている状態の患者、動物等を検眼することは困難であり、持ち運びにも不都合である。このため小型で手持ち式の眼科装置も提案されている。
【０００４】
【発明が解決しようとする課題】
据え置き型の装置は、通常、被検眼を固定させるための額当てや顎載せ台等の支持部を備えており、被検眼に対して測定部をアライメントするときや測定中には、比較的安定して被検眼を固定することができる。これに対し、手持ち式の眼科装置は持ち運びには便利だが、被検眼を固定させる手段を持たないものは、被検眼に対するアライメントや測定中の安定した位置関係が難しい。
【０００５】
また、手持ち式の眼科装置は検診や移動等で持ち運んだり、様々な場所で使用することができるため、測定窓に汚れ、埃等がつきやすい。従来、保護キャップ等を取り付けて測定窓を保護することもあったが、使用時には取り外しておくので紛失しやすく、管理が面倒であるという欠点があった。
【０００６】
本発明は上記従来技術の欠点に鑑み、簡単な構成で被検眼との位置関係を安定させて検査や測定が行え、また、使用しないときには簡単に測定窓の保護ができる眼科装置を提供することを技術課題とする。
【０００７】
【課題を解決するための手段】
上記課題を解決するために、本発明は次のような構成を有することを特徴とする。
【０００８】
（１）  被検眼の測定、観察、あるいは撮影等を行うための検査光学系を収納した筐体を備える眼科装置において、被検者の額に当接させて被検眼と前記検査光学系との位置関係を安定させるための額当てと、前記筐体が持つ前記検査光学系の検査窓の前面位置と前記筐体に対して略水平な使用位置との間で該額当てを回転可能に支持する支持手段と、前記額当てを前記筐体に対して略水平にした状態のままで被検者と対向する側へスライドするスライド手段とを備え、前記支持手段に支持された前記額当ては前記検査窓の前面位置に回転して配置することにより検査窓の保護手段として兼用することを特徴とする。
【０００９】
（２）  （１）の眼科装置において、前記スライド手段は前記額当てを被検者方向へ付勢する付勢手段を備えることを特徴とする。
【００１０】
（３）  （１）の眼科装置において、前記額当てを前記筐体に対して略水平な使用位置に回転させたときに前記額当ての略水平状態を保持するための保持手段を設けたことを特徴とする。
【００１１】
（４）  （１）の眼科装置において、前記額当てを前記検査窓の前面位置に回転して保護手段として使用したときに、その回転を固定する固定手段を設けたことを特徴とする。
【００１２】
（５）  （１）の額当ては、被検者の額に当接させたときに、額と前記筐体との間の上方から前記検査窓内に入射する外乱光を遮光する大きさを持つことを特徴とする。
【００１３】
【実施例】
以下、本発明の一実施例を図面に基づいて説明する。ここでは手持ち型の他覚式眼屈折力測定装置を実施例として説明する。
【００１４】
図１は装置の外観斜視図、図２は側面図、図３は上から見たときの図である。２は測定装置を示し、その内部には被検者１の片眼の眼屈折力を測定するための測定光学系等（後述する）が収納されている。測定光学系からの光束は測定窓４を通過して被検眼１Ｒ（右眼）又は１Ｌ（左眼）に投射され、眼底からの反射光束は再び測定窓４を通過して内部の光学系に受光される。
【００１５】
３は被検者１の額に当てる額当てカバーであり、測定時にノイズとなる上部からの外乱光を遮光する大きさを備えている。額当てカバー３は横軸ロッド１０により上下方向に回転可能に軸支されるとともに、矢印Ａ方向（装置奥側）にスライドするようになっている。これにより、測定時には被検者１の額に額当てカバー３の前部を当接させることにより、被検者１の顔に対して測定装置２を安定させながら、適切な作動距離を確保できるようになっている。額当てカバー３の前部は、左右の眼をそれぞれ測定するときに、被検者の額の湾曲に適するようにやや丸みを持たせてある。さらにその前面には額とのフィット感が得られるように、柔らかい樹脂等を取り付けると好ましい。
【００１６】
また、測定装置２を使用しないときには、額当てカバー３は横軸ロッド１０を回転中心にして下側に倒すことにより、測定窓４を覆う保護カバーの役目を果たすようになっている。３ａは額当てカバー３を持ち上げるためのツマミである。
【００１７】
測定装置２の検者側には液晶ディスプレイ（ＬＣＤ）５が配置されており、測定時はこのＬＣＤ５に映し出される被検眼１Ｒ（１Ｌ）を観察しながらアライメントを行う。また、ＬＣＤ５には測定データ等の情報が表示される。６は測定や機能の切り替え等を行うためのコントロール部である。
【００１８】
図４、図５は額当てカバー３のスライド機構及び回転機構を説明するための側面と上面の断面図である。
【００１９】
１０は額当てカバー３を上下方向に回転可能に軸支する横軸ロッドである。額当てカバー３は上方向に回転させて、略水平（測定光軸と略平行）にすると、額当てカバー３と横軸ロッド１０に設けられたクリック機構により、その水平状態を維持するように固定されるようになっている。クリック機構は、剛球１４ａ、剛球１４ａを付勢するバネ１４ｂを持つクリック凸部１４と、剛球１４ａに嵌合するように横軸ロッド１０に形成されたクリック凹部１５とから構成される。横軸ロッド１０自体は後述する平行ロッド１２の取り付けにより回転しないようになっているので、剛球１４ａがクリック凹部１５に嵌合した状態では額当てカバー３が略水平に維持されるようになる。
【００２０】
横軸ロッド１０の両端は測定装置２の筐体内壁面に形成された両側の溝１６に沿ってスライド可能に保持されている。このため額当てカバー３を水平にした状態で、横軸ロッド１０は額当てカバー３とともに溝１６にガイドされて検者側にスライドすることができる。また、横軸ロッド１０には溝１６と平行な２本の平行ロッド１２が取り付けられており、平行ロッド１２のそれぞれのもう一端は、支持板１３に設けられた穴に挿通されている。平行ロッド１２は額当てカバー３のスライド時の移動を安定させる。
【００２１】
１１は圧縮バネであり、横軸ロッド１０と支持板１３の間で、２本の平行ロッド１２のそれぞれに覆うようにして取り付けらている。これにより、額当てカバー３はスライド時に横軸ロッド１０とともに常に前側に付勢され、被検眼と装置の位置関係を安定させて適切な作動距離を確保できる。なお、横軸ロッド１０がスライド移動する被検者側の位置は、溝１６により制限されているので、図５の状態より額当てカバー３が飛び出すこことはない。額当てカバー３の被検者側への移動の制限は、平行ロッド１２の検者側端部にストッパ部材を設け、これと支持板１３とによりその移動位置が制限されるようにしても良い。
【００２２】
また、額当てカバー３を下側に回転させて測定窓４の保護カバーとして使用するときには、測定装置２の筐体に設けられた磁石１７ａに、額当てカバー３に設けられた金具１７ｂがくっつき、不安定にならないようになっている。
【００２３】
図６は装置の光学系概略配置図である。
【００２４】
２０は測定用の光束を投影するスリット光学系である。２１は赤外の光を発するスリット照明光源、２２はミラー、２３はモータ２４により一定の速度で一定方向に回転される円筒状の回転セクターである。回転セクター２３の側面には、２種類の異なる傾斜角度のスリット開口が複数個設けられている。一方のスリット開口は回転セクター２３の回転方向に対して４５度の傾斜角度を持つように設けられ、他方のスリット開口は回転方向に対して１３５度の傾斜角度を持つように設けられている。２５は投影レンズであり、光源２１は投影レンズ２５に関して被検眼角膜近傍と共役な位置に位置する。２６は制限絞り、２７及び２８はビームスプリッタである。
【００２５】
光源２を発した赤外の光はミラー２２に反射されて回転セクター２３のスリット開口を照明する。回転セクター２３の回転により走査されたスリット光束は、投影レンズ２５、制限絞り２６を経た後にビームスプリッタ２７で反射される。その後ビームスプリッタ２８を透過して被検眼Ｅの角膜近傍で集光した後、眼底に投影される。なお、回転セクター２３は異なる傾斜角度のスリット開口を持つため、いずれの角度のスリット光束が投影されているかをセンサ２９が検出するようになっている。
【００２６】
３０は眼底に投影された測定用のスリット光束を検出するスリット検出光学系であり、その光軸Ｌ１上に受光レンズ３１、絞り３２、受光部３３を備える。絞り３２は受光レンズ３１の後ろ側焦点位置に配置され、受光部３３は受光レンズ３１に関して被検眼角膜と略共役な位置に配置される。受光部３３はその受光面に４個の受光素子を有している。
【００２７】
３５はアライメント指標を投影する光学系であり、光源３６からの近赤外光は投影レンズ３７により略平行光束にされた後、ビームスプリッタ３８で反射し、さらにビームスプリッタ４４、ビームスプリッタ２８を経て、被検眼角膜に指標を投影する。
【００２８】
４０は固視標光学系である。４１は光源、４２は固視標、４３は投光レンズである。投光レンズ４３は光軸方向に移動することによって被検眼の雲霧を行う。光源４１は固視標４２を照明し、固視標４２からの光束は投光レンズ４３、ビームスプリッタ４４を経た後、ビームスプリッタ２８で反射して被検眼Ｅに向かい、被検眼Ｅは固視標４２を固視する。
【００２９】
４５は観察光学系である。照明光源４６に照明された被検眼Ｅの前眼部像は、ビームスプリッタ２８、４４を介して投影レンズ４７によりＣＣＤカメラ４８の撮像素子面に結像し、ＬＣＤ５に映出される。
【００３０】
以上のような実施例の装置において、その動作について説明する。
【００３１】
測定に際して額当てカバー３が測定窓４の保護カバーとして下側に倒されているときは、つまみ３ａを指で引っ掛け、磁石１７ａの磁力よりやや強い力を加え額当てカバー３を持ち上げる。さらに横軸ロッド１０を回転中心として額当てカバー３を上側に回転して持ち上げると、クリック凸部１４の剛球１４ａが横軸ロッド１０クリック凹部１５に嵌合し、添えていた手を離しても額当てカバー３は下方に回転せずに、そのままの状態で保持される。
【００３２】
測定を行うときは、検者は測定装置２を両手で持ち、測定窓４を被検眼１Ｒ（または１Ｌ）の正面に持っていく。ＬＣＤ５にはＣＣＤカメラ４８に撮影された前眼部像が映し出されるので、その画像を見ながら画面中心に前眼部像がくるように、およその位置を合わせておく。次に図２のように被検者の額に額当てカバー３をあて、ＬＣＤ５に表示されるレチクルと被検眼に投影されたアライメント用指標が所定の関係になるように、上下左右方向に測定装置２を動かして上下左右方向のアライメント調整を行う。上下左右方向のアライメント調整ができたら、次に測定装置２を前後に動かし、アライメント用指標のピントを合わせることにより、作動距離のアライメント調整を行う。このとき測定装置２を被検者１方向に動かすと、動かした分だけ額当てカバー３は前述のスライド機構により装置奥側に移動する。一方、圧縮バネ１１は額当てカバー３に押されて圧縮され、圧縮されたバネは元に戻ろうとするため、ある程度の力で逆に額当てカバー３を押し返す。このため額当てカバー３は常に被検者の額との接触を維持できるので、被検眼との位置関係を安定させることができる。
【００３３】
このようにしてアライメント調整ができたら、検者はコントロール部６にある測定スイッチを押して測定を開始する。スリット光学系２０からはスリット光束が瞳孔を介して眼底に入射し、眼底上を走査して投影される。眼底で反射され瞳孔を通過したスリット像の光束は、スリット像検出光学系３０の受光レンズ３１により集光され、絞り３２を介して受光部３３上に届く。装置の制御部は受光部３３からの出力信号から屈折力を得る。なお、この眼屈折力測定については、本出願人による特願平８−２８３２８０「眼屈折力測定装置」を参照されたい。
【００３４】
なお、測定において、額当てカバー３はある程度の大きさを持ち、被検者の額と装置筐体側との上部隙間を塞ぐ形となるため、上部からの外乱光、例えば蛍光灯等からの光束が額当てカバー３によって遮られ、外乱光が測定窓４に入射することによる測定エラーを防止することができる。
【００３５】
測定がすべて終了し、額当てカバー３を測定窓４の保護カバーとして使用するときは検者は額当てカバー３を持ち下方に力を加える。クリック凸部１４がクリック凹部１５から外れるだけの力を加えると、クリック凸部１４がクリック凹部１５から外れ、額当てカバー３は下側に回転するようになる。さらに額当てカバー３を回転させて、磁石１７ａに金具１７ｂをくっつける。これにより、額当てカバー３は測定窓４を保護する形となり、持ち運んだり保管時の埃や汚れの付着を防止する。
【００３６】
上記の実施例では額当てカバー３の被検者側への付勢として圧縮バネを使用したが、バネの圧力変化に空気圧や油圧を使用しても良い。また、額当てカバーと装置本体の接触保持のために磁石を用いたが、ピン等を使用したキーパー、ラッチ機構を使用しても良い。
【００３７】
さらに、本実施例では手持ち式眼屈折力測定装置を使用したが、手持ち式、据え置き型を含めて被検眼を観察、撮影したり、他の測定を行う眼科装置にも適用できる。
【００３８】
【発明の効果】
以上説明したように、本発明によれば、額当てを設けたことにより測定の安定性が向上し、額当てカバー使用時には上部からの外乱光を防ぎ、使用前、使用後はこの額当てカバーを測定部の保護カバ−として使用することで測定窓に付着する埃、汚れの抑制ができる。
【図面の簡単な説明】
【図１】実施例の装置の外観を斜めから見た斜視図である。
【図２】実施例の装置の外観を側面から見た側面図である。
【図３】実施例の装置の外観を上から見た図である。
【図４】実施例の装置に使用した額当てカバーの構成を側面からみた部分断面図である。
【図５】実施例の装置に使用した額当てカバーの構成を上からみた部分断面図である。
【図６】実施例の装置における光学系配置図である。
【符号の説明】
３  額当てカバー
４  測定窓
１０  横軸ロッド
１１  圧縮バネ
１２  平行ロッド
１４  クリック凸部
１４ａ  剛球
１４ｂ  バネ
１５  クリック凹部
【図１】
0003594457.tif 000002
【図２】
0003594457.tif 000003
【図３】
0003594457.tif 000004
【図４】
0003594457.tif 000005
【図５】
0003594457.tif 000006
【図６】
0003594457.tif 000007